(57)【特許請求の範囲】
【請求項１】
電磁波で励起することにより、マイナスイオンを発生し、遠赤外線を放射するトルマリン微粉末を混入した合繊糸とシルク糸とを、重量比１対２の割合で各々複数本づつ混紡したことを特徴とするシルクと合繊との混紡糸。
【請求項２】
電磁波で励起することにより、マイナスイオンを発生し、遠赤外線を放射するトルマリン微粉末を混入した合繊糸とシルク糸とを、重量比１対２の割合で用いて混織したことを特徴とするシルクと合繊との混織布。
【請求項３】
請求項１記載のシルクと合繊との混紡糸若しくは請求項２記載のシルクと合繊との混織布を用いて製造したことを特徴とする衣類。
【発明の詳細な説明】
【０００１】
【発明の属する技術分野】
本発明は、シルクと合繊との混紡糸及びシルクと合繊との混織布及び衣類に関するものである。
【０００２】
【従来の技術及び発明が解決しようとする課題】
テクノストレスが蔓延する現代社会で有害電磁波による障害が大きな問題となっている。
【０００３】
電磁波はあらゆる電化製品、電気機器より発生しており、高圧線や家電品より発生する低周波は人体に悪影響を与え、他の要因（食品、大気、水などの複合汚染）と相まって免疫機能低下や細胞からのカルシウム流出、異常出産、癌細胞分裂の障害などに拍車をかけるといわれている。
【０００４】
テレビやパソコンモニターであるブラウン管からは、特に側面や後面からも微量の電磁波（Ｘ線、マイクロ波、低周波、紫外線など）が発生しており、電磁波汚染の代表といえる。
【０００５】
微弱な電磁波も、被爆状態が続くと蓄積効果により障害が発生し、神経疲労、筋肉疲労、視力障害、免疫機能低下、頭痛、首や肩のコリ、イライラ感などを増長させる。
【０００６】
本発明は、前記電磁波による障害を解決するためになされたものであり、電磁波を吸収し、人体に有害な電磁波による障害を弱め、人体に良好に作用するマイナスイオンを発生し、遠赤外線を放射するトルマリン微粉末を混入した合繊糸を用いたシルクと合繊との混紡糸及びシルクと合繊との混織布及び衣類を提供することを目的とする。
【０００７】
【課題を解決するための手段】
添付図面を参照して本発明の要旨を説明する。
【０００８】
電磁波で励起することにより、マイナスイオンを発生し、遠赤外線を放射するトルマリン微粉末１を混入した合繊糸２とシルク糸３とを、重量比１対２の割合で各々複数本づつ混紡したことを特徴とするシルクと合繊との混紡糸に係るものである。
【０００９】
また、電磁波で励起することにより、マイナスイオンを発生し、遠赤外線を放射するトルマリン微粉末１を混入した合繊糸２とシルク糸３とを、重量比１対２の割合で用いて混織したことを特徴とするシルクと合繊との混織布に係るものである。
【００１０】
また、請求項１記載のシルクと合繊との混紡糸若しくは請求項２記載のシルクと合繊との混織布を用いて製造したことを特徴とする衣類に係るものである。
【００１１】
【発明の実施の形態】
好適と考える本発明の実施の形態（発明をどのように実施するか）を、図面に基づいてその作用効果を示して簡単に説明する。
【００１２】
電磁波で励起することにより、マイナスイオンを発生し、遠赤外線を放射するトルマリン微粉末１を混入した合繊糸２とシルク糸３とを各々複数本づつ混紡したから、合繊糸２に混入したトルマリン微粉末１が人体に良好に作用するマイナスイオンを発生し、遠赤外線を放射するから、マイナスイオンは人が呼吸することで肺から、そして皮膚から人体に取り込まれ、免疫力の向上や老廃物の排出促進、呼吸器の機能向上など人体に良好に作用し、電磁波障害を打ち消し、遠赤外線は人体内細胞に直接作用してマイナスイオンと共に人体に相乗的に良好に作用する。
【００１３】
また、シルク糸３を構成するシルクは、１８種類のアミノ酸の縮重合体から成るタンパク質繊維で、不良導体であるがシルク糸３同士の隣接部に空気層が存在するため静電気による不快感を解消でき、シルクの吸湿性は綿の１.５倍、蒸散性は１.３倍であり、熱の吸収、発散性能に優れ、人体細胞とシンクロする素材であり、衣料用素材として非常に秀れており、タンパク質繊維に含まれるアミノ酸チロシンが紫外線を吸収して殺菌効果を示す（吸湿時に徐々に変換放射して減菌作用として働く。）。
【００１４】
従って、エネルギー変換材料として作用するトルマリン微粉末１が人体に有害な電磁波を吸収し、シルク糸３の吸湿性と蒸散性による温度変化をエネルギーとしてマイナスイオンと遠赤外線を効率良く発生させ、神経疲労、筋肉疲労、視力障害、免疫機能低下、頭痛、首や肩のコリ、イライラ感などの人体に有害な電磁波による障害を解消することができる。
【００１５】
また、電磁波で励起することで、マイナスイオンを発生し、遠赤外線を放射するトルマリン微粉末１を混入した合繊糸２とシルク糸３とを用いて混織したから、合繊糸２に混入したトルマリン微粉末１が電磁波を吸収して、人体に有害な電磁波による障害を弱め、人体に良好に作用するマイナスイオンと遠赤外線とを放射するから、マイナスイオンは人が呼吸することで肺から、そして皮膚から人体に取り込まれ、電磁波障害を打ち消し、免疫力の向上や老廃物の排出促進、呼吸器の機能向上など人体に良好に作用し、遠赤外線は人体内細胞に直接作用してマイナスイオンと共に人体に相乗的に良好に作用する。
【００１６】
また、シルク糸３を構成するシルクは、１８種類のアミノ酸の縮重合体から成るタンパク質繊維で、不良導体であるがシルク糸３同士の隣接部に空気層が存在するため静電気による不快感を解消でき、シルクの吸湿性は綿の１.５倍、蒸散性は１.３倍であり、熱の吸収、発散性能に優れ、人体細胞とシンクロする素材であり、衣料用素材として非常に秀れており、タンパク質繊維に含まれるアミノ酸チロシンが紫外線を吸収して殺菌効果を示す（吸湿時に徐々に変換放射して減菌作用として働く。）。
【００１７】
従って、エネルギー変換材料として作用するトルマリン微粉末１が人体に有害な電磁波を吸収し、シルク糸３の吸湿性と蒸散性による温度変化をエネルギーとしてマイナスイオンと遠赤外線を効率良く発生させ、神経疲労、筋肉疲労、視力障害、免疫機能低下、頭痛、首や肩のコリ、イライラ感などの人体に有害な電磁波による障害を解消することができる。
【００１８】
また、請求項１記載のシルクと合繊との混紡糸若しくは請求項２記載のシルクと合繊との混織布を用いて衣類を製造したから、この衣類を構成する合繊糸２に混入したトルマリン微粉末１が電磁波を吸収しマイナスイオンと遠赤外線を放射するから、この衣類を身にまとうことで、人体に有害な電磁波の一部を衣類が吸収して、人体に有害な電磁波による障害を解消し、人体に良好に作用するマイナスイオンは人が呼吸することで肺から、そして皮膚から人体に取り込まれ、電磁波障害を打ち消し、免疫力の向上や老廃物の排出促進、呼吸器の機能向上など人体に良好に作用し、遠赤外線は人体内細胞に直接作用してマイナスイオンと共に人体に相乗的に良好に作用する。
【００１９】
また、シルク糸３を構成するシルクは、１８種類のアミノ酸の縮重合体から成るタンパク質繊維で、不良導体であるがシルク糸３同士の隣接部に空気層が存在するため静電気による不快感を解消でき、シルクの吸湿性は綿の１.５倍、蒸散性は１.３倍であり、熱の吸収、発散性能に優れ、人体細胞とシンクロする素材であり、衣料用素材として非常に秀れており、タンパク質繊維に含まれるアミノ酸チロシンが紫外線を吸収して殺菌効果を示す（吸湿時に徐々に変換放射して減菌作用として働く。）。
【００２０】
従って、エネルギー変換材料として作用するトルマリン微粉末１が人体に有害な電磁波を吸収し、シルク糸３の吸湿性と蒸散性による温度変化をエネルギーとしてマイナスイオンと遠赤外線を効率良く発生させ、神経疲労、筋肉疲労、視力障害、免疫機能低下、頭痛、首や肩のコリ、イライラ感などの人体に有害な電磁波による障害を解消することができる。
【００２１】
【実施例】
本発明の一実施例に係るシルクと合繊との混紡糸及びシルクと合繊との混織布及び衣類に関して説明する。
【００２２】
図１には、シルクと合繊との混紡糸を図示しており、合繊糸２には電磁波を吸収しマイナスイオンと遠赤外線を放射するトルマリン（電気石）微粉末１（直径約０．５μm程度）を約５％（重量比）練り込み、この合繊糸２とシルク糸３とを１対２（重量比）程度の割合で各々複数本づつ混紡してシルクと合繊との混紡糸を製造する。
【００２３】
シルクと合繊との混織布は、電磁波を吸収しマイナスイオンと遠赤外線を放射するトルマリン微粉末１を約５％（重量比）練り込んだ合繊糸２とシルク糸３とを１対２（重量比）程度の割合で混織したものである。
【００２４】
尚、合繊（合成繊維）としては、ナイロンやレーヨンなど適宜な合繊を用いればよいが、本実施例では、レーヨンを用いて検討した。
【００２５】
前記シルクと合繊との混紡糸若しくは前記シルクと合繊との混織布を用いて、肌着、ベスト、ジャケット、スカーフなどの衣類を製造する。
【００２６】
これらの衣類を構成する合繊糸２に混入したトルマリン微粉末１が電磁波を吸収しマイナスイオンと遠赤外線を放射するから、これらの衣類を身にまとうことで、人体に有害な電磁波の一部を衣類が吸収して、人体に有害な電磁波による障害を解消し、人体に良好に作用するマイナスイオンは人が呼吸することで肺から、そして皮膚から人体に取り込まれ、電磁波障害を打ち消し、免疫力の向上や老廃物の排出促進、呼吸器の機能向上など人体に良好に作用し、遠赤外線は人体内細胞に直接作用してマイナスイオンと共に人体に相乗的に良好に作用する。
【００２７】
また、シルク糸３を構成するシルクは、１８種類のアミノ酸の縮重合体から成るタンパク質繊維で、不良導体であるがシルク糸３同士の隣接部に空気層が存在するため静電気による不快感を解消でき、シルクの吸湿性は綿の１.５倍、蒸散性は１.３倍であり、熱の吸収、発散性能に優れ、人体細胞とシンクロする素材であり、衣料用素材として非常に秀れており、タンパク質繊維に含まれるアミノ酸チロシンが紫外線を吸収して殺菌効果を示す（吸湿時に徐々に変換放射して減菌作用として働く。）。
【００２８】
従って、エネルギー変換材料として作用するトルマリン微粉末１が電磁波を吸収し、シルク糸３の吸湿性と蒸散性による温度変化をエネルギーとしてマイナスイオンと遠赤外線を効率良く発生させ、神経疲労、筋肉疲労、視力障害、免疫機能低下、頭痛、首や肩のコリ、イライラ感などの人体に有害な電磁波による障害を解消することができる。
【００２９】
尚、物品の発生する波動が大きい程、人体に良好に作用することが知られているが、本実施例のシルクとレーヨンとの混織布について、波動値を測定した結果を表１に示す。
【００３０】
【表１】
0004093613.tif 000002
【００３１】
表１には、トルマリン微粉末１を混入したレーヨン布、シルク布及びトルマリン微粉末１を混入したレーヨン糸２とシルク糸３とを用いた混織布の三種類の布を用いて、電磁波障害に対して作用する波動値、免疫機能に対して作用する波動値等、各測定項目に対して前記三種類の布が作用する波動値の値を測定した結果を示している。
【００３２】
表１の結果から明らかなように、各測定項目に対して三種類の布が作用する波動値は、トルマリン入りレーヨン布やシルク布を用いた場合に比べ、トルマリン微粉末１を混入したレーヨン糸２とシルク糸３とを用いた混織布を用いた場合の方が各測定項目に対して作用する波動値の値が大きく、人体に良好に作用する。
【００３３】
従って、波動値に関してもトルマリンとシルクとは相乗的に作用するから、トルマリンとシルクとを、組み合わせて用いることでその波動値を高めることができる。
【００３４】
【発明の効果】
本発明は、以上のように、電磁波を吸収してマイナスイオンと遠赤外線を放射するトルマリン微粉末を混入した合繊糸とシルク糸とを、重量比１対２の割合で各々複数本づつ混紡したから、合繊糸に混入したトルマリン微粉末が人体に有害な電磁波を吸収して、人体に有害な電磁波による障害を弱め、人体に良好に作用するマイナスイオンと遠赤外線とを放射するから、マイナスイオンは人が呼吸することで肺から、そして皮膚から人体に取り込まれ、電磁波障害を打ち消し、免疫力の向上や老廃物の排出促進、呼吸器の機能向上など人体に良好に作用し、遠赤外線は人体内細胞に直接作用してマイナスイオンと共に人体に相乗的に良好に作用する。
【００３５】
また、シルク糸を構成するシルクは、１８種類のアミノ酸の縮重合体から成るタンパク質繊維で、不良導体であるがシルク糸同士の隣接部に空気層が存在するため静電気による不快感を解消でき、シルクの吸湿性は綿の１.５倍、蒸散性は１.３倍であり、熱の吸収、発散性能に優れ、人体細胞とシンクロする素材であり、衣料用素材として非常に秀れており、タンパク質繊維に含まれるアミノ酸チロシンが紫外線を吸収して殺菌効果を示す（吸湿時に徐々に変換放射して減菌作用として働く。）。
【００３６】
従って、エネルギー変換材料として作用するトルマリン微粉末が電磁波を吸収し、シルク糸の吸湿性と蒸散性による温度変化をエネルギーとしてマイナスイオンと遠赤外線を効率良く発生させ、神経疲労、筋肉疲労、視力障害、免疫機能低下、頭痛、首や肩のコリ、イライラ感などの人体に有害な電磁波による障害を解消することができる。
【００３７】
また、電磁波を吸収しマイナスイオンと遠赤外線を放射するトルマリン微粉末を混入した合繊糸とシルク糸とを、重量比１対２の割合で用いて混織したから、合繊糸に混入したトルマリン微粉末が電磁波を吸収して、人体に良好に作用するマイナスイオンと遠赤外線とを放射するから、マイナスイオンは人が呼吸することで肺から、そして皮膚から人体に取り込まれ、電磁波障害を打ち消し、免疫力の向上や老廃物の排出促進、呼吸器の機能向上など人体に良好に作用し、遠赤外線は人体内細胞に直接作用してマイナスイオンと共に人体に相乗的に良好に作用する。
【００３８】
また、シルク糸を構成するシルクは、１８種類のアミノ酸の縮重合体から成るタンパク質繊維で、不良導体であるがシルク糸同士の隣接部に空気層が存在するため静電気による不快感を解消でき、シルクの吸湿性は綿の１.５倍、蒸散性は１.３倍であり、熱の吸収、発散性能に優れ、人体細胞とシンクロする素材であり、衣料用素材として非常に秀れており、タンパク質繊維に含まれるアミノ酸チロシンが紫外線を吸収して殺菌効果を示す（吸湿時に徐々に変換放射して減菌作用として働く。）。
【００３９】
従って、エネルギー変換材料として作用するトルマリン微粉末が電磁波を吸収し、シルク糸の吸湿性と蒸散性による温度変化をエネルギーとしてマイナスイオンと遠赤外線を効率良く発生させ、神経疲労、筋肉疲労、視力障害、免疫機能低下、頭痛、首や肩のコリ、イライラ感などの人体に有害な電磁波による障害を解消することができる。
【００４０】
また、請求項１記載のシルクと合繊との混紡糸若しくは請求項２記載のシルクと合繊との混織布を用いて衣類を製造したから、この衣類を構成する合繊糸に混入したトルマリン微粉末が電磁波を吸収しマイナスイオンと遠赤外線を放射するから、この衣類を身にまとうことで、人体に有害な電磁波の一部を衣類が吸収して、人体に有害な電磁波による障害を弱め、人体に良好に作用するマイナスイオンは人が呼吸することで肺と皮膚から人体に取り込まれ、電磁波障害を打ち消し、免疫力の向上や老廃物の排出促進、呼吸器の機能向上など人体に良好に作用し、遠赤外線は人体内細胞に直接作用してマイナスイオンと共に人体に相乗的に良好に作用する。
【００４１】
また、シルク糸を構成するシルクは、１８種類のアミノ酸の縮重合体から成るタンパク質繊維で、不良導体であるがシルク糸同士の隣接部に空気層が存在するため静電気による不快感を解消でき、シルクの吸湿性は綿の１.５倍、蒸散性は１.３倍であり、熱の吸収、発散性能に優れ、人体細胞とシンクロする素材であり、衣料用素材として非常に秀れており、タンパク質繊維に含まれるアミノ酸チロシンが紫外線を吸収して殺菌効果を示す（吸湿時に徐々に変換放射して減菌作用として働く。）。
【００４２】
従って、エネルギー変換材料として作用するトルマリン微粉末が電磁波を吸収し、シルク糸の吸湿性と蒸散性による温度変化をエネルギーとしてマイナスイオンと遠赤外線を効率良く発生させ、神経疲労、筋肉疲労、視力障害、免疫機能低下、頭痛、首や肩のコリ、イライラ感などの人体に有害な電磁波による障害を解消することができる。
【図面の簡単な説明】
【図１】  本発明の一実施例に係るシルクと合繊との混紡糸を示す斜視図である。
【符号の説明】
１  トルマリン微粉末
２  合繊糸
３  シルク糸
【図１】
0004093613.tif 000003